(57)【特許請求の範囲】
【請求項１】
筐体の正面に前扉を設けた遊技機において、
前記前扉の裏面に前後方向を向く着脱手段により取り付けられ、前記前扉に設けられた表示窓に重合する開口部が穿設されたベース部材と、当該ベース部材の裏面側に予め着脱自在に取り付けられ、前記開口部を通して前記表示窓に遊技情報を表示可能な表示器と、前記ベース部材に取り付けられると共に、前記筐体内に設けられた制御基板から出力される制御信号を入力可能な入力用コネクタ及び当該入力した制御信号を前記表示器側へ出力可能な出力用コネクタを備える中継基板とを含む表示ユニットを備え、
前記ベース部材は、前記表示器及び前記中継基板が取り付けられた領域外にあって、前記前扉の裏面側に設けられた後方へ突出する突出部の外周面に対して前記前扉の後方から嵌合可能な凹部と、当該凹部に設けられ、前記着脱手段が前記ベース部材の後方から挿入可能な前後方向に貫通する取付孔とを有し、
前記前扉の前記突出部は、前記取付孔に挿入された着脱手段が係合可能な被取付孔を有することによって、
前記ベース部材を前記前扉の裏面に取り付けた状態で、前記表示器及び前記中継基板を前記前扉から取り外し可能とするとともに、前記表示器及び前記中継基板を前記ベース部材に取り付けた状態で、前記着脱手段を前記ベース部材の後方から前記取付孔及び前記被取付孔に着脱可能としたことを特徴とする遊技機。
【請求項２】
前記中継基板は、前記表示ユニットの近傍に設けられる光源側へ出力可能な出力用コネクタを実装したことを特徴とする請求項１記載の遊技機。
【発明の詳細な説明】
【技術分野】
【０００１】
本発明は、筐体の正面に設けられる前扉に表示窓を設け、この表示窓に各種遊技情報を表示可能な表示器を備えた遊技機に関する。
【背景技術】
【０００２】
遊技機としてのスロットマシンにおいて、複数の識別情報を変動表示可能な回胴表示装置、遊技を制御するための制御基板及びその他の各種装置を収容した筐体の正面に、前扉を開閉可能に設けるとともに、前扉の上部を構成する上部ランプ板の前面に凹部を設け、この凹部に、各種遊技情報を表示可能な２種類の表示器を選択的に取り付け可能にしたものがある（例えば、特許文献１参照）。
【特許文献１】特開２０００−１４０１９６号公報
【発明の開示】
【発明が解決しようとする課題】
【０００３】
上述のような遊技機においては、２種類の表示器に対応させるため、前扉の上部を構成する上部ランプ板の凹部に、予め２種類の表示器取付部を設けておく必要がある。しかし、遊技機の機種変更等に伴って、予め定めた２種類の表示器以外の表示器を用いる必要がある場合には、表示器を上部ランプ板の凹部に取り付けることができないため、上部ランプ板、ひいては前扉全体を新たな金型を用いて成型しなければならず、コストの上昇を招く問題を有する。
【０００４】
本発明は、従来の問題に鑑み、前扉を変更することなく、複数の表示器を取付可能にした遊技機を提供することを目的とする。
【課題を解決するための手段】
【０００５】
本発明によると、上記課題は、次のようにして解決される。
（１）筐体の正面に前扉を設けた遊技機において、前記前扉の裏面に前後方向を向く着脱手段により取り付けられ、前記前扉に設けられた表示窓に重合する開口部が穿設されたベース部材と、当該ベース部材の裏面側に予め着脱自在に取り付けられ、前記開口部を通して前記表示窓に遊技情報を表示可能な表示器と、前記ベース部材に取り付けられると共に、前記筐体内に設けられた制御基板から出力される制御信号を入力可能な入力用コネクタ及び当該入力した制御信号を前記表示器側へ出力可能な出力用コネクタを備える中継基板とを含む表示ユニットを備え、前記ベース部材は、前記表示器及び前記中継基板が取り付けられた領域外にあって、前記前扉の裏面側に設けられた後方へ突出する突出部の外周面に対して前記前扉の後方から嵌合可能な凹部と、当該凹部に設けられ、前記着脱手段が前記ベース部材の後方から挿入可能な前後方向に貫通する取付孔とを有し、前記前扉の前記突出部は、前記取付孔に挿入された着脱手段が係合可能な被取付孔を有することによって、前記ベース部材を前記前扉の裏面に取り付けた状態で、前記表示器及び前記中継基板を前記前扉から取り外し可能とするとともに、前記表示器及び前記中継基板を前記ベース部材に取り付けた状態で、前記着脱手段を前記ベース部材の後方から前記取付孔及び前記被取付孔に着脱可能とする。
【００１０】
（２）上記(１)項において、前記中継基板は、前記表示ユニットの近傍に設けられる光源側へ出力可能な出力用コネクタを実装する。
【発明の効果】
【００１１】
本発明によれば、次のような効果が奏せられる。
（ａ）請求項１記載の発明によると、前扉の裏面に着脱手段により着脱自在に取り付けられるベース部材と、予めベース部材に取り付けられ、前扉に設けられた表示窓に遊技情報を表示可能な表示器とを含む表示ユニットを備えたことにより、遊技機の機種変更に伴って、表示器の変更が生じても、ベース部材を変更することで、複数種類の表示器を前扉に対して取付可能であるため、前扉を遊技機の機種変更に合わせて変更する必要性がなく、異なる機種間での前扉の共用が可能となり、コストの低減を図ることができる。
前扉に表示器を取り付ける前に、予め表示器を含む表示ユニットを形成したことにより、取付作業の効率化を図ることができる。
表示器を、ベース部材の裏面に着脱自在に取り付けたことにより、例えば修理等で、表示器を前扉から取り外す必要が生じた場合、ベース部材を前扉の裏面に取り付けた状態で、表示器を前扉から取り外すことができ、表示器の交換作業等を効率良く行うことができる。
ベース部材の取付孔を表示器及び中継基板が取り付けられる収容部の領域外に設けたことにより、取付孔がベース部材に取り付けられた表示器によって遮られることがないので、表示器及び中継基板をベース部材に取り付けた状態で、ベース部材の凹部に、前扉の裏面に設けられた突出部を嵌合させることができ、ベース部材を前扉の裏面に対して容易に位置決め可能とするとともに、凹部に設けた取付孔に嵌合された着脱手段を、突出部に設けた被取付孔に着脱させることができ、表示ユニットを前扉の裏面に容易に着脱することができると共に取付強度の向上が図られる。
【００１６】
（ｂ）請求項２記載の発明によると、制御基板と表示ユニットの近傍に設けられる光源とを、中継基板を介して接続することができ、遊技機内の配線を簡素化することができる。
【発明を実施するための最良の形態】
【００１７】
図１は、本発明を適用した遊技機の正面図、図２は、前扉を開けた状態の遊技機の斜視図、図３は、斜め後方から見た前扉の斜視図、図４は、上扉部の裏面図、図５は、図１におけるＶ−Ｖ線に沿う拡大縦断面図、図６は、図４におけるVI−VI線に沿う拡大縦断面図、図７は、斜め前方から見た上扉部の分解斜視図、図８は、斜め後方から見た上扉部の分解斜視図、図９は、斜め後方から見た表示ユニットの分解斜視図、図１０は、斜め前方から見た表示ユニット及び回胴表示装置の斜視図、図１１は、図４におけるXI−XI線に沿う拡大縦断面図である。
なお、以下の説明では、図１及び図２における紙面手前を遊技機の前方とし、図１及び図２における紙面奥を遊技機の後方とする。
【００１８】
図１及び図２に示すように、遊技機としてのスロットマシン(１)は、正面（前面）が開放した筐体(２)と、筐体(２)の左端部前面に上下方向を向く軸回りに開閉可能に枢支された前扉(３)とを備える。
【００１９】
前扉(３)は、主に図３に示すように、上半分を形成する上扉部(４)と下半分を形成する下扉部(５)とに上下に分割されて形成され、上扉部(４)と下扉部(５)とは、それらの裏面（後面）に固定される金属製の左右の縦補強杆(６)(７)及び左右方向を向く横補強杆(８)により一体になるように接続されている。なお、上扉部(４)と下扉部(５)との境界は、図２及び図３に境界線(Ａ)で示す。
【００２０】
前扉(３)は、閉状態にあるとき、縦補強杆(６)に設けられた上下のロック機構(９)が筐体(２)に設けられた係合部(図示略)に係合することにより、所定のキー等を使用しない限り開けられないようになっている。
【００２１】
なお、本実施形態において、遊技機(１)を遊技媒体がメダルであるスロットマシンとして説明するが、本発明は、これに特定されるものでなく、遊技機(１)を遊技媒体がパチンコ玉であるパチンコ機またはスロットマシンとしても良い。
【００２２】
筐体(２)内には、主に図２に示すように、外周面に複数種類の図柄、数字等で構成される識別情報が付記された左、中、右３個の円筒状の回転リール(10a)を有する回胴表示装置(10)と、遊技媒体であるメダルを貯留及び払出可能なホッパーユニット(11)と、各種遊技進行を制御するための主制御基板(12)と、主制御基板(12)の制御信号に基づいて各種装置へ制御信号を送出可能な副制御基板(13)と、回胴表示装置(10)の回転リール(10a)を回転させるモータ（図示略）を駆動制御する回転リール制御基板(14)と、回胴表示装置(10)、ホッパーユニット(11)、主制御基板(12)及びその他の電気的装置へ電力を供給可能な電源装置(15)が設けられている。
【００２３】
前扉(３)における上扉部(４)の内側には、透明なアクリル板等に形成される光透過性の上部パネル板(4a)及び下部パネル板(4b)が嵌め込まれている。
【００２４】
上部パネル板(4a)には、後述の識別情報表示窓(16)の上方にあって、上扉部(４)の裏面側に後述のように取り付けられる表示器をなす液晶表示器(31)の液晶画面(31a)に表示される各種遊技情報を視認可能な遊技情報表示窓(17)が設けられている。
【００２５】
下部パネル板(4b)には、各回転リール(10a)の識別情報を３こまずつ視認可能な識別情報表示窓(16)と、識別情報表示窓(16)の左方にあって、メダルの賭数に応じた有効ライン数を表示させる５個の有効ライン表示窓(18)と、識別情報表示窓(16)の右方にあって、各種遊技案内を表示させる３個の遊技案内表示窓(19)と、識別情報表示窓(16)の下方にあって、各種遊技情報を表示させる複数の遊技情報表示窓(20)とが設けられている。
【００２６】
なお、上部パネル板(4a)及び下部パネル板(4b)における前記各表示窓(16)(17)(18)(19)(20)を除く領域面は、彩色、模様等が施され、前扉(２)の表面（前面）側から遊技機(１)の内部を透視できないが、上扉部(４)の裏面側に設けられる後述の光源(27)の光を表面側へ透過しうるように半光透過性となっている。
【００２７】
上扉部(４)の裏面側上部には、主に図８及び図１１に示すように、後方（図１１において右方）へ突出し、かつ前後方向を向く段付き状の被取付孔(4d)を有する４個の突出部(4c)が設けられている。
【００２８】
さらに、上扉部(４)の裏面側には、主に図４に示すように、各回転リール(10a)の識別情報を含む外周面及び上部パネル板(4a)の裏面を照射可能な横長の光源(27)と、有効ライン表示窓(18)に有効ライン数を表示可能な発光ダイオード等を実装した実装基板(28)と、遊技案内表示窓(19)に各種遊技案内を表示可能な発光ダイオード等を実装した実装基板(29)と、左右のスピーカ(40)と、遊技情報表示窓(20)に各種遊技情報を表示可能な７セグメント発光ダイオード等を実装した実装基板(44)等が設けられている。
【００２９】
図１に示すように、前扉(３)における下扉部(５)の表面（前面）には、遊技開始時に遊技媒体であるメダルを投入可能なメダル投入部(21)と、メダルの賭数を選定するためのベットスイッチボタン(22)と、回胴表示装置(10)の回転リール(10a)を回転させるときに操作されるスタートスイッチレバー(23)と、各回転リール(10a)の回転を停止させるときに操作される３個のストップスイッチボタン(24)等が設けられている。また、同じく裏面側には、主に図３に示すように、メダル投入部(21)に投入されたメダルの真偽を検出可能なメダルセレクター(25)と、メダルセレクター(25)を通過した真のメダルのみをホッパーユニット(11)内に誘導可能な誘導路(26)等が設けられている。
【００３０】
遊技機(１)の遊技は、遊技者がメダルをメダル投入部(21)に所定枚数投入して、ベットスイッチボタン(22)及びスタートスイッチレバー(23)を順次操作することにより、回胴表示装置(10)の各回転リール(10a)を一斉に回転させた後、所定時間経過後に各回転リール(10a)に対応する各ストップスイッチボタン(24)を順次操作して、各回転リール(10a)を停止させることにより行われる。なお、メダル投入部(21)に投入されたメダルは、所定数（例えば、５０枚）を上限として、後のゲームまでクレジット数として記憶されるようになっている。
【００３１】
各回転リール(10a)が停止したときの、識別情報表示窓(16)に表示される左、中、右の識別情報の組み合わせにより、入賞の有無、及び賞の大小に応じたメダルの配当枚数が決定され、入賞の場合には入賞の大小に応じたメダルがホッパーユニット(11)から前扉(３)の下部に払い出される。また、入賞のうち大当りとなった場合には、液晶表示器(31)により遊技情報表示窓(17)に大当りに関する遊技情報を表示させて演出効果を高めるとともに、予め定めたボーナスゲームに移行し、遊技者は短時間に大量のメダルを得ることができる。なお、液晶表示器(31)は、大当りに関する遊技情報以外の遊技情報も表示可能である。
【００３２】
主に図７〜図９に示すように、前扉(３)の上扉部(４)の裏面に着脱自在に取り付けられる表示ユニット(30)は、上扉部(４)の裏面上部、具体的には上扉部(４)の裏面に設けられた突出部(4c)に、スナップピン(50)により着脱自在に取り付けられるベース部材(32)と、予めベース部材(32)に着脱自在に取り付けられる液晶表示器(31)及び基板取付部材(39)と、予め基板取付部材(39)に取り付けられる中継基板(33)、冷陰極管インバータ電源基板(34)、冷陰極管インバータ電源基板(34)を覆う基板用カバー(35)とを含んで構成される。
【００３３】
なお、中継基板(33)、冷陰極管インバータ電源基板(34)、基板取付部材(39)及び基板用カバー(35)は、必ずしも表示ユニット(30)に含ませる必要はなく、必要に応じて表示ユニット(30)と別々に前扉(３)の裏面に取り付けるようにしても良い。
【００３４】
ベース部材(32)は、白色の合成樹脂材で形成されるとともに、上部パネル板(4a)に対向するように上扉(４)の裏面に着脱可能に取り付けられる。
【００３５】
ベース部材(32)の中央部の裏面側には、表示ユニット(30)が上扉部(４)の裏面に取り付けられることにより、上扉部(４)の遊技情報表示窓(17)に重合可能な矩形の開口部(32a)が穿設された枠状の収容部(32b)が設けられている。また、収容部(32b)の左右両側（側方）の前面には、上部パネル板(4a)の裏面に所定の間隔を隔てて対向し、後述のように光源(27)の光を上部パネル板(4a)の裏面へ向けて反射可能な反射面(32e)が設けられている。反射面(32e)により反射された光源(27)の光は、上部パネル板(4a)の裏面における遊技情報表示窓(17)の左右両側を照射し、上部パネル板(4a)の表面を効率よく光らせることができる。
【００３６】
ベース部材(32)における収容部(32b)の領域、及び基板取付部材(39)が取り付けられる領域外の位置である上部及び左右端部には、上扉部(４)の突出部(4c)に対応する４個の凹部(３２ｆ)が設けられ、凹部(３２ｆ)に設けられた前後方向に貫通する取付孔(32c)内には予め軸状のスナップピン(50)が嵌合されている。
【００３７】
ベース部材(32)の凹部(３２ｆ)は、上扉部(４)の裏面側に設けられた突出部(4c)の外周面に嵌合可能であって、ベース部材(32)の上扉部(４)に対する位置決めを行なうことが可能である。
【００３８】
スナップピン(50)は、合成樹脂製のグロメット(51)に挿入した状態で、グロメット(51)と共にベース部材(32)の取付孔(32c)及び上扉部(４)の裏面の突出部(4c)に設けられた被取付孔(4d)に嵌合させることにより、ベース部材(32)を含む表示ユニット(30)を、上扉部(４)の裏面に着脱自在に固定することができる。詳細に説明すると、図１１に示すように、グロメット(51)は、筒状に形成され、ベース部材(32)における取付孔(32c)の周囲に当接可能な鍔部(51a)と、径方向へ弾性変形し得るようにスリットが設けられた挿入部(51b)とを有している。スナップピン(50)の軸部(50b)を、グロメット(51)の挿入部(51b)に浅く挿入した状態で、挿入部(51b)を、ベース部材(32)の取付孔(32c)及び上扉部(４)の被取付孔(4d)に嵌合し、続いて、スナップピン(50)を実線で示す位置まで深く押し込むと、スナップピン(50)の軸部(50b)により、グロメット(51)の挿入部(51b)が内側から押圧されて外側に広がり、挿入部(51b)の外径が被取付孔(4d)の内径より大きい拡径状態となって、被取付孔(4d)の外周に係合して抜止め固定される。また、グロメット(51)に挿入されたスナップピン(50)を、摘み部(50a)を摘んで想像線で示す位置まで引き抜くと、拡径状態の挿入部(51b)が被取付孔(4d)の内径より小さい縮径状態となって、スナップピン(50)及びグロメット(51)を被取付孔(4d)から引き抜き可能となる。
【００３９】
なお、着脱手段をなすスナップピン(50)は、本実施形態のみに限定されるものでなく、上扉部(４)の被取付孔(4d)に対して着脱可能な形状であれば如何なるものでも良い。また、着脱手段を、スナップピン(50)に代えて、被取付孔(4d)に対して着脱可能なねじとしても良い。この場合には、被取付孔(4d)にねじが螺合可能な雌ねじ部を形成する。
【００４０】
表示器をなす液晶表示器(31)は、副制御基板(13)の制御信号に基づいて各種遊技情報を表示可能であるとともに、複数のねじ(36)をもって、後方からベース部材(32)の収容部(32b)、すなわち裏面に着脱自在に固定される。これにより、ベース部材(32)を上扉部(４)の裏面に固定することにより、液晶表示器(31)の液晶画面(31a)に表示される遊技情報は、ベース部材(32)の開口部(32a)を通して、上扉部(４)の遊技情報表示窓(17)に表示される。
【００４１】
液晶表示器(31)の裏面側には、副制御基板(13)の制御信号に基づいて、液晶表示器(31)へ表示信号を出力可能な図７に示す液晶表示基板(37)と、液晶表示基板(37)を覆うカバー(38)とが取り付けられている。
【００４２】
中継基板(33)は、基板取付部材(39)の後面にねじ(43)により着脱自在に固定されるとともに、その裏面には、副制御基板(13)とハーネス（図示略）により電気的に接続され、副制御基板(13)から出力される制御信号を入力可能な入力用コネクタ(33a)と、入力した制御信号を液晶表示基板(37)、実装基板(28)(29)(44)、冷陰極管インバータ電源基板(34)等へ出力可能な複数の出力用コネクタ(33b)が実装されている。これにより、副制御基板(13)と、液晶表示器(31)、表示ユニット(30)の近傍に設けられる光源(27)及びその他の光源とを、中継基板(33)を介して接続することができ、遊技機(１)内の配線を簡素化することができる。なお、出力用コネクタ(33b)の符号は、図面簡素化のため主要なもののみに付与し、他のものについては省略する。
【００４３】
なお、副制御基板(13)から出力される制御信号のうち液晶表示器(31)に出力される制御信号は、液晶表示基板(37)を介して表示制御信号に変換されて液晶表示器(31)に出力される。また、光源(27)に出力される制御信号は、冷陰極管インバータ電源基板(34)を介して変換されて光源(27)に出力される。
【００４４】
基板取付部材(39)は、液晶表示器(31)をベース部材(32)の収容部(32b)に取り付けた後、液晶表示器(31)の後方から、ベース部材(32)の裏面に設けられた左右の爪部(32d)とベース部材(32)の下縁との間に弾性係合させることにより、ベース部材(32)の裏面側に固定される。
【００４５】
冷陰極管インバータ電源基板(34)は、基板取付部材(39)の裏面側に固定されるとともに、光源(27)のコネクタ(27a)にハーネス（図示略）により接続され、副制御基板(13)の制御信号を変換して、光源(27)を点灯及び消灯させる。
【００４６】
光源(27)、具体的には横長の冷陰極管は、表示ユニット(30)の近傍で、かつベース部材(32)の前方斜め下方、すなわち上扉部(４)の裏面における識別情報表示窓(16)と上部パネル板(4a)の遊技情報表示窓(17)との間にねじ(41)により固定される横長の光源カバー(42)の後側に取り付けられる。
【００４７】
光源(27)は、遊技時に、上方から各回転リール(10a)の識別情報を含む外周面を照射するとともに、下方から上部パネル板(4a)の裏面を照射する。
【００４８】
図５に示すように、上部パネル板(4a)の裏面を照射する光源(27)の光(Ｌ)は、光源カバー(42)の左右両側に設けられた切欠部(42a)を通過し、ベース部材(32)の反射面(32e)により反射されて、上部パネル板(4a)の裏面における遊技情報表示窓(17)の左右両側を照射する。これにより、１個の光源(27)により、回転リール(10a)の外周面及び上部パネル板(4a)の裏面を効果的に照射することができる。特に、上部パネル板(4a)の裏面を照射する光は、反射面(32e)により反射されるものであるので、上部パネル板(4a)の裏面を効果的に照射して、遊技情報表示窓(16)の両側を特に際立たせ、演出効果をより高めることができる。
【００４９】
上述のように、液晶表示器(31)をベース部材(32)に予め組み付けた表示ユニット(30)を形成し、ベース部材(32)の取付孔(32c)を前扉(３)における上扉部(４)の突出部(4c)に嵌合させるとともに、取付孔(32c)に予め嵌合されたスナップピン(50)を突出部(4c)に設けられた被取付孔(4d)に着脱自在に挿入することにより、表示ユニット(30)を上扉部(４)の裏面に着脱自在に取り付けることができる。
【００５０】
これにより、遊技機(１)の機種変更に伴って、液晶表示器(31)の変更が生じても、ベース部材(32)を変更することで、複数種類の表示器を前扉(３)に対して取付け可能であるため、前扉(３)を遊技機(１)の機種変更に合わせて変更する必要性がなく、異なる機種間での前扉(３)の共用が可能となり、コストの低減を図ることができる。また、前扉(３)に液晶表示器(31)を取り付ける前に、予め液晶表示器(31)を含む表示ユニット(30)を形成し、かつベース部材(32)の取付孔(32c)に予め嵌合されたスナップピン(50)を、被取付孔(4d)に挿入するだけで、表示ユニット(30)を上扉部(４)の裏面に簡単に取り付けることができ、取付け作業の効率化を図ることができる。
【００５１】
また、表示ユニット(30)を上扉部(４)の裏面に取り付ける場合、ベース部材(32)の取付孔(32c)に、上扉部(４)の裏面に設けられた突出部(4c)を嵌合させることにより、ベース部材(32)の上扉部(４)の裏面に対する位置決め及び取付強度の向上が図られる。
【００５２】
ベース部材(32)の取付孔(32c)を、液晶表示器(31)が取り付けられる収容部(32b)及び基板取付用部材(39)が取り付けられる領域外に設けたことにより、取付孔(32c)がベース部材(32)に取り付けられた液晶表示器(31)及び基板取付用部材(39)によって遮られることがないので、液晶表示器(31)等をベース部材(32)に取り付けた状態で、取付孔(32c)に予め嵌合されたスナップピン(50)を、上扉部(４)の被取付孔(4d)に着脱させることができ、表示ユニット(30)の前扉(４)の裏面に対する着脱を容易に行うことができる。
【００５３】
液晶表示器(31)を、ベース部材(32)の裏面に設けた収容部(32b)に着脱自在に取り付けたことにより、例えば修理等で、液晶表示器(31)を前扉(３)から取り外す必要が生じた場合、ベース部材(32)を前扉(３)の裏面に取り付けた状態で、液晶表示器(31)を前扉(３)から取り外すことができ、液晶表示器(31)の交換作業等を効率良く行うことができる。
【図面の簡単な説明】
【００５４】
【図１】本発明を適用した遊技機の正面図である。
【図２】前扉を開けた状態の遊技機の斜視図である。
【図３】斜め後方から見た前扉の斜視図である。
【図４】上扉部の裏面図である。
【図５】図１におけるＶ−Ｖ線に沿う拡大縦断面図である。
【図６】図４におけるVI−VI線に沿う拡大縦断面図である。
【図７】斜め前方から見た上扉部の分解斜視図である。
【図８】斜め後方から見た上扉部の分解斜視図である。
【図９】斜め後方から見た表示ユニットの分解斜視図である。
【図１０】斜め前方から見た表示ユニット及び回胴表示装置の斜視図である。
【図１１】図４におけるXI−XI線に沿う拡大縦断面図である。
【符号の説明】
【００５５】
(１)遊技機
(２)筐体
(３)前扉
(４)上扉部（前扉）
(4a)上部パネル板
(4b)下部パネル板
(4c)突出部
(4d)被取付孔
(５)下扉部（前扉）
(６)(７)縦補強杆
(８)横補強杆
(９)ロック機構
(10)回胴表示装置
(10a)回転リール
(11)ホッパーユニット
(12)主制御基板
(13)副制御基板
(14)回転リール制御基板
(15)電源装置
(16)識別情報表示窓
(17)遊技情報表示窓
(18)有効ライン表示窓
(19)遊技案内表示窓
(20)遊技情報表示窓
(21)メダル投入部
(22)ベットスイッチボタン
(23)スタートスイッチレバー
(24)ストップスイッチボタン
(25)メダルセレクター
(26)誘導路
(27)光源
(27a)コネクタ
(28)(29)実装基板
(30)表示ユニット
(31)液晶表示器（表示器）
(31a)液晶画面
(32)ベース部材
(32a)開口部
(32b)収容部
(32c)取付孔
(32d)爪部
(32e)反射面
(32f)凹部
(33)中継基板
(33a)入力用コネクタ
(33b)出力用コネクタ
(34)冷陰極管インバータ電源基板
(35)基板用カバー
(36)ねじ
(37)液晶表示基板
(38)カバー
(39)基板取付部材
(40)スピーカ
(41)ねじ
(42)光源カバー
(42a)切欠部
(43)ねじ
(44)実装基板
(50)スナップピン（着脱手段）
(50a)摘み部
(50b)軸部
(51)グロメット
(51a)鍔部
(51b)挿入部
【図１】
0004629358.tif 000002
【図２】
0004629358.tif 000003
【図３】
0004629358.tif 000004
【図４】
0004629358.tif 000005
【図５】
0004629358.tif 000006
【図６】
0004629358.tif 000007
【図７】
0004629358.tif 000008
【図８】
0004629358.tif 000009
【図９】
0004629358.tif 000010
【図１０】
0004629358.tif 000011
【図１１】
0004629358.tif 000012